(57)【要約】【課題】使用する洗浄水の量を削減しつつ、十分な洗浄効果を得ることのできる太陽光発電パネル洗浄用ブラシを提供する。【解決手段】洗浄流体を貯留するチャンバ２８と、チャンバ２８に設けられた貫通孔に固定されたブラシ束２６と、被洗浄面とチャンバ２８との距離を調整する調整機構４６とを備え、ブラシ束２６には、前記洗浄流体を通水させる透水性繊維束が含まれていることを特徴とする。また、ブラシ束２６を構成する前記透水性繊維束は、中空糸２４であるようにすると良い。【選択図】図１
2017013017.tif 000002
【特許請求の範囲】
【請求項１】
洗浄流体を貯留するチャンバと、
前記チャンバに設けられた貫通孔に固定されたブラシ束と、
被洗浄面と前記チャンバとの距離を調整する高さ調整機構とを備え、
前記ブラシ束には、前記洗浄流体を通水させる透水性繊維束が含まれていることを特徴とする太陽光発電パネル洗浄用ブラシ。
【請求項２】
前記透水性繊維束を前記チャンバにおける前記ブラシ束配置面に点在させたことを特徴とする請求項１に記載の太陽光発電パネル洗浄用ブラシ。
【請求項３】
前記透水性繊維束は、中空糸により構成されていることを特徴とする請求項１または２に記載の太陽光発電パネル洗浄用ブラシ。
【請求項４】
前記チャンバを前記被洗浄面と平行に揺動させる揺動手段を備えたことを特徴とする請求項１乃至３のいずれか１項に記載の太陽光発電パネル洗浄用ブラシ。
【請求項５】
洗浄に用いた前記洗浄流体を払拭するためのスクレーパを備えたことを特徴とする請求項１乃至４のいずれか１項に記載の太陽光発電パネル洗浄用ブラシ。
【請求項６】
請求項１乃至５のいずれか１項に記載の太陽光発電パネル洗浄用ブラシを走行させるガイドレールと、
前記ガイドレール上を転動するガイドローラと、
前記太陽光発電パネル洗浄用ブラシを前記ガイドレールに沿って移動させるための移動手段と、を備えたことを特徴とする太陽光発電パネル洗浄システム。
【請求項７】
前記チャンバに前記洗浄流体を供給する流体供給ラインを備えたことを特徴とする請求項６に記載の太陽光パネル洗浄システム。
【発明の詳細な説明】
【技術分野】
【０００１】
本発明は、太陽光発電パネル洗浄用ブラシ、および太陽光発電パネル洗浄システムに係り、特に、洗浄に際して使用する洗浄流体の使用量削減に好適な太陽光発電パネル洗浄用ブラシ、および太陽光発電パネル洗浄システムに関する。
【背景技術】
【０００２】
近年、世界各地において再生可能エネルギーの導入が進んでおり、特に中東、アフリカ、インドにおいては、太陽光発電需要の大幅な伸張が予測されている。このような地域における太陽光発電システムは、日射量の多さ（雨天の少なさ）、土地の有効利用などの観点から、インフラ設備自体が脆弱な砂漠地帯に建設されることも少なくない。しかし、そのような土地では、砂塵などによる太陽光パネル表面の汚れが発生しやすく、それらに起因する発電効率の低下が問題となってくる。さらに、そのメンテナンスには多大なコストが必要であるとともに、パネル表面汚れを洗浄する洗浄水の確保も容易ではないという課題があり、それらが原因となり、太陽光発電システムの導入が十分に進んでいないというのが実状である。このため、電力、水などのインフラ設備が脆弱な地域における太陽光発電システムにおいては、極力小水量での太陽光発電パネルを洗浄することが課題とされている。
【０００３】
このような課題に対し、例えば特許文献１や２のように、使用水量を抑制して太陽光発電パネルの洗浄を行う技術が提案されている。特許文献１に開示されている技術は、傾斜して設置された太陽光発電パネル群に対し、その上端部に設けられた散水手段から洗浄水を噴射するというものである。そして、特許文献１では、散水手段から噴射する洗浄水の圧力を調整することで、洗浄水の落下位置を制御し、無駄無くパネルの洗浄を成すという点を特徴としている。
【０００４】
また、特許文献２に開示されている技術は、洗浄時の水量を少なくするために、ブラシによる汚れの掻き取りを行った後、太陽光発電パネル状に付着した洗浄水を洗い流すのでは無く、ブレードにより掻き取るというものである。そして、特許文献２に開示されている技術では、洗浄の際に噴射される洗浄水をブレードに向けて噴射することで、汚れた洗浄水を掻き取るブレードに、汚れが堆積することを防止するという点を特徴としている。
【先行技術文献】
【特許文献】
【０００５】
【特許文献１】特開２０１１−１４６４４２号公報
【特許文献２】特開２０１４−１３８９２２号公報
【発明の概要】
【発明が解決しようとする課題】
【０００６】
特許文献１、２に開示されている技術では、確かに、人手による洗浄や、節水を意識しないで行う洗浄に比べれば、使用する洗浄水を少なくし、労力も削減することができる。しかし、例えば特許文献１に開示されているような洗浄水の噴射による太陽光発電パネルの洗浄では、十分な洗浄効果を得ることができない可能性がある。
【０００７】
また、特許文献２に開示されている技術では、単に仕上げの洗い流しに用いる洗浄水を削減することができるというだけで、ブラシ洗浄に用いる洗浄水の量が削減できる訳ではない。
【０００８】
このため、いずれの技術においても、十分な洗浄性と節水性を両立するという点が解決されていない。
【０００９】
本発明では、使用する洗浄水の量を削減しつつ、十分な洗浄効果を得ることのできる太陽光発電パネル洗浄用ブラシ、およびこの洗浄用ブラシを用いた太陽光発電パネル洗浄システムを提供することを目的とする。
【課題を解決するための手段】
【００１０】
上記目的を達成するための本発明に係る太陽光発電パネル洗浄用ブラシは、洗浄流体を貯留するチャンバと、前記チャンバに設けられた貫通孔に固定されたブラシ束と、被洗浄面と前記チャンバとの距離を調整する高さ調整機構とを備え、前記ブラシ束には、前記洗浄流体を通水させる透水性繊維束が含まれていることを特徴とする。
【００１１】
また、上記のような特徴を有する太陽光発電パネル洗浄用ブラシは、前記透水性繊維束を前記チャンバにおける前記ブラシ束配置面に点在させるようにすると良い。このような構成とした場合、被洗浄面に常時供給される洗浄流体の量を削減することができ、節水性を高めることができる。
【００１２】
また、上記のような特徴を有する太陽光発電パネル洗浄用ブラシにおいて前記透水性繊維束は、中空糸により構成されるようにすると良い。このような構成とすることで、チャンバに貯留された洗浄流体は、中空糸の内部を通って被洗浄面に到達することとなる。このため、洗浄流体が蒸気等の気体であった場合でも、洗浄流体を被洗浄面に効率的に供給することが可能となる。
【００１３】
また、上記のような特徴を有する太陽光発電パネル洗浄用ブラシは、前記チャンバを前記被洗浄面と平行に揺動させる揺動手段を備えるようにすると良い。このような構成とすることで、被洗浄面をブラシで払拭することができる。よって、洗浄効果を高めることができる。
【００１４】
さらに、上記のような特徴を有する太陽光発電パネル洗浄用ブラシは、洗浄に用いた前記洗浄流体を払拭するためのスクレーパを備えるようにすると良い。このような構成とすることにより、洗浄後に砂塵が混入した洗浄流体を別途拭き取る工程が不要となる。また、被洗浄面に洗浄流体が残留することによるシミ（水滴跡）の発生を防止することができる。
【００１５】
また、上記目的を達成するための太陽光発電パネル洗浄システムは、上記いずれかの太陽光発電パネル洗浄用ブラシを走行させるガイドレールと、前記ガイドレール上を転動するガイドローラと、前記太陽光発電パネル洗浄用ブラシを前記ガイドレールに沿って移動させるための移動手段と、を備えたことを特徴とする。
【００１６】
さらに、上記のような特徴を有する太陽光発電パネル洗浄用ブラシは、前記チャンバに前記洗浄流体を供給する流体供給ラインを備えるようにすると良い。
【発明の効果】
【００１７】
上記のような特徴を有する太陽光発電パネル洗浄用ブラシによれば、太陽光発電パネルを洗浄する際に、使用する洗浄水の量を削減しつつ、十分な洗浄効果を得ることができる。
【図面の簡単な説明】
【００１８】
【図１】実施形態に係る太陽光発電パネル洗浄用ブラシの正面構成を示す図である。
【図２】実施形態に係る太陽光発電パネル洗浄用ブラシの正面底面右側面から成る斜視図である。
【図３】実施形態に係る太陽光発電パネル洗浄用ブラシの正面平面左側面から成る斜視図である。
【図４】ブラシ単体を示す斜視図である。
【図５】ブラシ単体の断面構成を示す図である。
【図６】実施形態に係る太陽光発電パネル洗浄システムの構成を示す斜視図である。
【図７】実施形態に用いる中空糸の構成を示す斜視図である。
【図８】実施形態に係るブラシを構成するブラシ束の部分拡大図である。
【図９】実施形態に係る太陽光発電パネル洗浄システムを用いた太陽光発電パネルの洗浄の様子を示す図である。
【図１０】従来の洗浄方法による太陽光発電パネル洗浄時の使用水量との比較を表すグラフである。
【図１１】第１の応用形態に係るブラシ構成を示す部分拡大図である。
【図１２】第２の応用形態に係るブラシ構成を示す部分拡大図である。
【図１３】ガイドフレームに流体受けを設けた様子を示す側面図である。
【図１４】太陽光発電パネル洗浄システムの実用化形態を示す図である。
【発明を実施するための形態】
【００１９】
以下、本発明の太陽光発電パネル洗浄用ブラシ、および太陽光発電パネル洗浄システムに係る実施の形態について、図面を参照しつつ詳細に説明する。なお、図１は、実施形態に係る太陽光発電パネル洗浄システムを構成する太陽光発電パネル洗浄用ブラシの正面構成を示す図である。また、図２、図３は、同下面側斜視図、上面側斜視図をそれぞれ示す。また、図４は、ブラシ単体の構成を示す斜視図であり、図５は、ブラシ単体の断面構成を示す図である。さらに、図６は、実施形態に係る太陽光発電パネル洗浄システムの全体構成を示す図である。
【００２０】
本実施形態に係る太陽光発電パネル洗浄システム（以下、単に洗浄システム１０と称す）は、図６に示すように、太陽光発電パネル洗浄用ブラシ（以下、単に洗浄用ブラシ２０と称す）と、この洗浄用ブラシ２０を走行させるガイドフレーム５０とを基本として構成されている。
【００２１】
洗浄用ブラシ２０は、少なくとも、ブラシ２２とチャンバ２８、およびケーシング３４を有する。本実施形態におけるブラシ２２は、複数のブラシ繊維を束ねて構成されたブラシ束２６を複数配置することで構成されている。また、本実施形態においては、ブラシ束２６を構成するブラシ繊維を、図７に示すような中空糸２４とし、透水性繊維束を構成している。中空糸２４の構成部材は、特に限定するものでは無いが、耐久性、耐候性、可撓性等の観点から、シリコン樹脂とすると良い。ブラシ束２６を中空糸２４により構成することにより、ブラシ束２６の内部を挿通させた極少量の洗浄流体で、被洗浄面の洗浄を行うことが可能となる。
【００２２】
ここで、中空糸２４としては、外径φを０．５〜３ｍｍ（好ましくは１〜２ｍｍ）とし、肉厚ｄを０．２〜０．７ｍｍの範囲として、内径を０．１〜１．５ｍｍ（好ましくは０．２〜１ｍｍ）程度とするものを採用すると良い。
【００２３】
チャンバ２８は、洗浄流体を貯留可能な容器であり、ブラシ配置面２８ａに、図示しない複数の貫通孔が設けられている。貫通孔は、所定の間隔、配置によって形成され、各貫通孔に対してブラシ束２６が配置されることで、ブラシ２２が構成されることとなる。チャンバ２８におけるブラシ配置面２８ａに対するブラシ束２６の固定は、ブラシ繊維（中空糸２４）を構成する部材と同じ樹脂３０を用いたポッティングによると良い。このような手法を用いることにより、ブラシ束２６と固定に用いる樹脂３０との一体化を図ることができ、ブラシ束２６や中空糸２４の抜けを防ぎ、ブラシ２２の耐久性を高めることが可能となる。なお、チャンバ２８には、内部に洗浄流体を供給するための流体供給ライン３２が設けられている。
【００２４】
ケーシング３４は、チャンバ２８を保持するための躯体である。実施形態に係るケーシング３４は、ケーシング本体３６とサイドプレート４２とから成る。ケーシング本体３６は、チャンバ２８を保持すると共に、少なくとも、揺動手段３８と移動手段４０が備えられている。
【００２５】
揺動手段３８は、ブラシ２２を進行方向と交差する方向（図１における矢印Ａの方向）に往復動させるための手段である。揺動手段３８についての具体的構成は、限定するものでは無いが、例えばモータとカム、および減速ギアなどを用いて揺動機構を構成することで、ブラシ２２に対して任意の周期の往復動を付与することが可能となる。
【００２６】
移動手段４０は、ケーシング３４を含めた洗浄用ブラシ２０自体を移動させるための手段である。本実施形態では、洗浄用ブラシ２０の移動方向を詳細を後述するガイドレール５２（図６参照）の配置方向に沿う方向としている。例えばガイドレール５２を太陽光発電パネル６０の傾斜方向（高さ方向）に沿って配置した場合には、当該傾斜方向が移動方向となる。移動手段４０の具体的構成も、揺動手段３８と同様に、限定するものでは無い。一例を挙げるとするならば、モータ４０ａとプーリ４０ｂを用いるものとすることができる。すなわち、図６や図９に示すように、ガイドレール５２を構成するガイドフレーム５０に、ガイドレール５２の配置方向に沿って張り渡されたワイヤ５４をプーリ４０ｂに巻掛け、ワイヤ５４を巻掛けたプーリ４０ｂをモータ４０ａで回動させるというものである。このような構成とすることで、ワイヤ５４に沿って洗浄用ブラシ２０を移動させることが可能となる。また、プーリ５０ｂにワイヤ５４を巻掛けることで、傾斜している被洗浄面から、洗浄用ブラシ２０が落下するといった虞が無くなる。
【００２７】
サイドプレート４２には、詳細を後述するガイドレール５２に対する走行を成すガイドローラ４４が備えられている。ガイドレール５２を転動するガイドローラ４４を配置することで、洗浄用ブラシ２０の移動をスムーズなものとすることができる。
【００２８】
ケーシング本体３６とサイドプレート４２の間には、ケーシング本体３６の高さ位置を調整するための調整機構４６が設けられている。調整機構４６を設けることにより、被洗浄面に対するブラシ２２の接触圧を調整することが可能となる。図２、図３に示す例では、調整機構４６は、サイドプレート４２に設けられた長孔４６ａと、この長孔４６ａを介してケーシング本体３６の位置決めを成す固定ボルト４６ｂによって構成している。しかしながら、調整機構４６の構成形態は、このようなものに限定されるものでは無い。例えば、図示しないバネなどを用いて、被洗浄面に対するブラシ２２の押し付け圧を自動調整する構成としても良い。
【００２９】
また、本実施形態に係る洗浄システム１０では、洗浄用ブラシ２０のケーシング３４に、スクレーパ４８を設けている。ブラシ２２と別にスクレーパ４８を設けることで、砂塵などが混入した洗浄後の洗浄流体を掻き取ることができる。これにより、被洗浄面の拭き取り作業が不要となると共に、水滴の残留に起因したシミ（水滴跡など）が生じ、太陽光発電パネルによる発電効率の低下を生じさせる虞が無い。
【００３０】
ガイドフレーム５０は、洗浄対象とする太陽光発電パネル６０の外周に配置されるフレームであり、被洗浄面を跨ぐように、ガイドレール５２を掛け渡すための基礎とされている。図６に示す形態では、洗浄対象とする太陽光発電パネル６０を単体とし、ガイドフレーム５０を太陽光発電パネル６０の外周辺に引っ掛ける形態としている。ガイドフレーム５０の上下間には、洗浄用ブラシ２０の移動に用いるワイヤ５４が張り渡されている。
【００３１】
このような構成の洗浄システム１０では、まず、移動手段４０を介して洗浄用ブラシ２０が洗浄初期位置に移動される。ここで、洗浄初期位置とは、例えば、傾斜配置された太陽光発電パネル６０における被洗浄面の上端側とすると良い。洗浄に用いた洗浄流体は、重力により下端側へ流れ落ちるからである。次に、洗浄用ブラシ２０のチャンバ２８に供給された純水などの洗浄流体が、中空糸２４により構成されたブラシ束２６を介して被洗浄面に、微量に、かつ均等に供給される。被洗浄面に洗浄流体が供給された状態で、揺動手段３８が稼働すると、ブラシ２２により、太陽光発電パネル６０の被洗浄面が払拭される。これにより、太陽光発電パネル６０における被洗浄面に付着した砂塵などが払拭される。また、ブラシ束２６の先端からは、微量の洗浄流体が供給され続けているため、湿気を帯びた砂塵などの汚れが、ブラシ束２６の先端に付着し続けることが無い。これにより、洗浄後、あるいは洗浄中に、別途、ブラシ２２を洗浄する工程が不要となる。
【００３２】
ブラシ２２により太陽光発電パネル６０における被洗浄面のブラッシングが成された後は、移動手段４０により洗浄用ブラシ２０を移動させることで、スクレーパ４８による洗浄流体の掻き取りが成される。これにより、太陽光発電パネル６０の被洗浄面に、洗浄流体の残留に起因した水滴跡を残すことが無い。
【００３３】
このような技術を用いた太陽光発電パネル６０の洗浄によれば、図１０に示すように、発電効率を所定値以上にまで回復させるための洗浄に必要とされる水量（使用水量）を削減することができる。具体的には、水スプレーのみによる洗浄に比べて、約１／２の水量で洗浄が完了することとなる。また、スポンジブラシを用いる場合と比較すると、約２／５の水量となる。さらに、手作業による高圧洗浄と比較した場合には、使用水量を約１／５とすることができる。なお、図１０に示す使用水量は、実施形態に係る洗浄用ブラシ２０を用いて太陽光発電パネル６０の洗浄を行った場合の使用水量を１００とした場合における相対的な使用水量である。
【００３４】
また、太陽光発電パネル６０の洗浄とは別に、洗浄に用いるブラシ２２を洗浄する必要も無いため、洗浄流体の総使用量としては、更なる削減を図ることができる。また、洗浄流体の使用量を少なくする事で、太陽光発電パネル６０の被洗浄面を洗浄する頻度を上げることができる。このため、太陽光発電パネル６０による発電の安定化を図ることができる。
【００３５】
［応用形態］
上記実施形態に係る洗浄システム１０では、ブラシ２２を構成するブラシ束２６は、全て、中空糸２４により構成されるように記載した。しかしながら、必ずしもブラシ束２６を構成する全てのブラシ繊維を中空糸２４としなくても良い。すなわち、図１１に示すように、ブラシ束２６を構成するブラシ繊維の一部を中空糸２４とし、その他を非透水性素材２４ａにより構成するというものである。このような構成とした場合であっても、ブラシ束２６の先端への洗浄流体の供給が可能となる。よって、上記実施形態と同様な効果を得ることができる。
【００３６】
また、中空糸２４の配置形態については、複数のブラシ束２６の全てに中空糸２４を配置するものでなくとも良い。すなわち、図１２に示すように、ブラシ束２６を構成するブラシ繊維を中空糸２４とするものと、非透水性素材２４ａをブラシ繊維としてブラシ束２６が構成されているものを混在させて、ブラシ２２を構成するというものである。このような構成とする場合、中空糸２４を用いたブラシ束２６の配置を分散させ、ブラシ束２６先端から供給される洗浄流体が、ブラシ２２による払拭面（被洗浄面）に均等に供給されるようにすると良い。このような構成とした場合であっても、上記実施形態に係るブラシ２２と同様な効果を得ることができる。なお当然に、図１１に示す形態と、図１２に示す形態とを適宜組み合わせるようにしても良い。
【００３７】
上記実施形態では、使用後の洗浄流体に関しては、スクレーパ４８により掻き取るという点のみを記載した。しかしながら、傾斜配置された太陽光発電パネル６０や、ガイドフレーム５０の下端側に、流体受け５６を配置し、洗浄後に流れ落ちる洗浄流体を回収する構成とすることもできる。流体受け５６により回収された洗浄流体には、太陽光発電パネル６０に付着した砂塵等が含まれている。このため、沈殿法や膜分離、膜蒸留などの技法を用いて固液分離を成すことで、洗浄流体の再利用が可能となる。このように、使用後の洗浄流体を回収し、再利用を図るようにすることで、洗浄流体の使用量をさらに削減することが可能となる。
【００３８】
また、図６に示す例では、単体の太陽光発電パネル６０を対象として、ガイドフレーム５０を配置する例を示した。しかしながら、太陽光発電パネル６０が複数配置されている太陽光発電施設において、太陽光発電パネル６０の洗浄を行う場合には、図１４に示すように、複数の太陽光発電パネル６０を跨いで配置されるガイドフレーム５０を採用し、このガイドフレーム５０に沿ってガイドレール５２を移動可能な構成とすると良い。このような構成とした場合には、膨大な数を誇る太陽光発電施設の太陽光発電パネル６０を全自動で洗浄することが可能となる。よって、人手による洗浄に比べ、洗浄に要する費用（ランニングコスト）の抑制も図ることができる。
【００３９】
さらに、図１４に示すような構成とする場合、ガイドフレーム５０の脇に、洗浄用ブラシ２０（ガイドレール５２）の退避格納庫５８を設けるようにしても良い。このような構成とすることで、ブラシ２２と被洗浄面とが非接触な状態となる。よって、ブラシ２２の変形を防ぐことができ、ブラシ２２の寿命を向上させることができる。また、退避格納庫５８には、カバーなどを設けるようにすることで、日光や砂塵などの影響による劣化を防ぐことが可能となる。
【００４０】
また、上記実施形態では、洗浄流体について、純水を例に挙げて説明した。しかしながら、洗浄流体としては、蒸気などであっても良い。洗浄流体として蒸気を用いることによれば、使用洗浄水の量をさらに削減することが可能となるからである。
【符号の説明】
【００４１】
１０………洗浄システム、２０………洗浄用ブラシ、２２………ブラシ、２４………中空糸、２４ａ………非透水性素材、２６………ブラシ束、２８………チャンバ、２８ａ………ブラシ配置面、３０………樹脂、３２………流体供給ライン、３４………ケーシング、３６………ケーシング本体、３８………揺動手段、４０………移動手段、４０ａ………モータ、４０ｂ………プーリ、４２………サイドプレート、４４………ガイドローラ、４６………調整機構、４６ａ………長孔、４６ｂ………固定ボルト、４８………スクレーパ、５０………ガイドフレーム、５２………ガイドレール、５４………ワイヤ、５６………流体受け、５８………退避格納庫、６０………太陽光発電パネル。
【図１】
2017013017.tif 000003
【図２】
2017013017.tif 000004
【図３】
2017013017.tif 000005
【図４】
2017013017.tif 000006
【図５】
2017013017.tif 000007
【図６】
2017013017.tif 000008
【図７】
2017013017.tif 000009
【図８】
2017013017.tif 000010
【図９】
2017013017.tif 000011
【図１０】
2017013017.tif 000012
【図１１】
2017013017.tif 000013
【図１２】
2017013017.tif 000014
【図１３】
2017013017.tif 000015
【図１４】
2017013017.tif 000016